(57)【要約】【課題】  テレビ電話機能による通話中の興趣を向上できるテレビ電話装置を提供することを目的とする。【解決手段】  テレビ電話機能による通話中に、送信する画像データにメニュー画面データ４１１を合成することにより、相手方のテレビ電話装置にメニュー画面を表示させ、メニュー画面に含まれる複数のメニュー項目の選択を促す。相手方のテレビ電話装置からの操作信号に基づいて、選択されたメニュー項目に対応するプリセットデータ（動画データ４１２、静止画データ４１３、テキストデータ４１４など）を相手方のテレビ電話装置に送信する。相手がメニュー画面からメニュー項目を能動的に選択し、その選択したメニュー項目に対応するプリセットデータを受信することができるので、一方的に送信されてくるデータを受信するような構成とは異なり、テレビ電話機能による通話中の興趣が向上する。【選択図】  図２
2006345076.tif 000002
【特許請求の範囲】
【請求項１】
被写体を撮影して画像データを生成する撮影手段と、
相手方のテレビ電話装置において選択可能な複数のメニュー項目を含むメニュー画面データを生成するメニュー画面生成手段と、
上記メニュー項目に対応する画像データ又は音声データからなるプリセットデータを予め記憶するプリセットデータ記憶手段と、
上記撮影手段により生成される画像データに上記メニュー画面データを合成する画像データ合成手段と、
上記メニュー画面データが合成された画像データを相手方のテレビ電話装置へ送信する送信手段と、
相手方のテレビ電話装置からの操作信号を受信する受信手段とを備え、
上記受信手段が操作信号を受信した場合に、上記送信手段が、上記操作信号により選択された上記メニュー項目に対応するプリセットデータを送信することを特徴とするテレビ電話装置。
【請求項２】
メニュー画面表示を指示するための操作手段を備え、
上記メニュー画面生成手段は、上記操作手段の操作に基づいて、メニュー画面データを生成することを特徴とする請求項１に記載のテレビ電話装置。
【請求項３】
上記メニュー画面生成手段は、相手方のテレビ電話装置からの信号に基づいて、メニュー画面データを生成することを特徴とする請求項１に記載のテレビ電話装置。
【請求項４】
相手方のテレビ電話装置からの信号に基づいて、自動的に着信応答を行う自動応答手段を備え、
上記メニュー画面生成手段は、上記自動応答手段により自動的に着信応答が行われた場合に、メニュー画面データを生成することを特徴とする請求項３に記載のテレビ電話装置。
【請求項５】
上記メニュー画面生成手段は、上記自動応答手段により自動的に着信応答が行われた場合に、相手方のテレビ電話装置に対応するメニュー画面データを生成することを特徴とする請求項４に記載のテレビ電話装置。
【請求項６】
上記プリセットデータには、上記撮影手段により生成した動画データが含まれることを特徴とする請求項１から５のいずれかに記載のテレビ電話装置。
【請求項７】
上記プリセットデータには、上記撮影手段により生成した静止画データが含まれることを特徴とする請求項１から６のいずれかに記載のテレビ電話装置。
【請求項８】
上記プリセットデータには、テキストデータが含まれることを特徴とする請求項１から７のいずれかに記載のテレビ電話装置。
【発明の詳細な説明】
【技術分野】
【０００１】
本発明は、画像データ及び音声データをリアルタイムで送受信することにより、テレビ電話機能による通話を行うことができる携帯電話機などのテレビ電話装置に関する。
【背景技術】
【０００２】
従来から、一般家庭に設置される固定電話機として、カメラを用いてユーザを撮影し、生成された画像データを音声データとともにリアルタイムで送信することにより、テレビ電話機能による通話を行うことができるものが知られている（例えば、特許文献１〜３）。また、最近では、カメラを備えた携帯電話機において、テレビ電話機能による通話を行うことができるものも知られている。
【０００３】
テレビ電話機能は、例えば、ＩＰ（Internet Protocol）網を介して画像データ及び音声データを送受信することにより実現できる。画像データ及び音声データは、複数のパケットに分割されて送信され、それらのパケットを受信した相手方のテレビ電話装置において、元の画像データ及び音声データが復元される。テレビ電話機能によれば、カメラで撮影される相手の顔を見ながら通話を行うことができるので、より臨場感のある通話を行うことができる。
【特許文献１】特開２００１−２６８５３３号公報
【特許文献２】特開２０００−１３５１９号公報
【特許文献３】特開平１１−３３１７９４号公報
【発明の開示】
【発明が解決しようとする課題】
【０００４】
従来のテレビ電話機能では、カメラで撮影される相手の顔を見ながら通話を行うことができるだけで、リアルタイムで送信される画像データ及び音声データ以外のデータを通話中に相手方のテレビ電話装置に送信することはできず、興趣に欠けるものであった。最近では、カメラで予め撮影した画像データや、予め記憶している音楽データなどを、テレビ電話機能による通話中に相手方に送信できるようなテレビ電話装置も提案されているが、それらのデータを相手方に一方的に送信することができるだけで、相手にとっては、やはり興趣に欠けるものであった。
【０００５】
また、テレビ電話装置の中には、テレビ電話機能による通話中に他の用事ができた場合などに、相手方のテレビ電話装置に音楽データを送信して音楽を流したり、画像データを送信して画像を表示させることにより、通話を保留した状態で相手に待機させることができる機能（保留機能）を有しているものがある。しかし、相手にとっては、一方的に送信されてくる音楽データや画像データに基づいて、音楽を聴いたり画像を見たりすることができるだけで、長時間待機するには興趣に欠けるものであった。
【０００６】
本発明は、上記の事情に鑑みてなされたものであり、テレビ電話機能による通話中の興趣を向上できるテレビ電話装置を提供することを目的とする。
【０００７】
また、本発明は、テレビ電話機能による通話が保留されたときの興趣を向上できるテレビ電話装置を提供することを目的とする。
【課題を解決するための手段】
【０００８】
本発明によるテレビ電話装置は、被写体を撮影して画像データを生成する撮影手段と、相手方のテレビ電話装置において選択可能な複数のメニュー項目を含むメニュー画面データを生成するメニュー画面生成手段と、上記メニュー項目に対応する画像データ又は音声データからなるプリセットデータを予め記憶するプリセットデータ記憶手段と、上記撮影手段により生成される画像データに上記メニュー画面データを合成する画像データ合成手段と、上記メニュー画面データが合成された画像データを相手方のテレビ電話装置へ送信する送信手段と、相手方のテレビ電話装置からの操作信号を受信する受信手段とを備え、上記受信手段が操作信号を受信した場合に、上記送信手段が、上記操作信号により選択された上記メニュー項目に対応するプリセットデータを送信するように構成される。
【０００９】
このような構成によれば、撮影手段により生成される画像データを音声データとともに相手方のテレビ電話装置にリアルタイムで送信することにより、テレビ電話機能による通話を行うことができる。テレビ電話機能による通話中に、送信する画像データにメニュー画面データを合成することにより、相手方のテレビ電話装置にメニュー画面を表示させ、メニュー画面に含まれる複数のメニュー項目の選択を促すことができる。そして、相手方のテレビ電話装置からの操作信号に基づいて、選択されたメニュー項目に対応するプリセットデータ（画像データ又は音声データ）を相手方のテレビ電話装置に送信することにより、相手は、そのプリセットデータに基づく画像を見たり、音楽を聴いたりすることができる。
【００１０】
したがって、相手がメニュー画面からメニュー項目を能動的に選択し、その選択したメニュー項目に対応するプリセットデータを受信することができるので、一方的に送信されてくるデータを受信するような構成とは異なり、テレビ電話機能による通話中の興趣が向上する。
【００１１】
本発明によるテレビ電話装置は、メニュー画面表示を指示するための操作手段を備え、上記メニュー画面生成手段は、上記操作手段の操作に基づいて、メニュー画面データを生成するように構成される。
【００１２】
このような構成によれば、操作手段を操作することにより、相手方のテレビ電話装置にメニュー画面を表示させた状態で、テレビ電話機能による通話を保留することができる。したがって、相手は、メニュー画面において選択したメニュー項目に対応するプリセットデータを受信して、そのプリセットデータに基づく画像を見たり、音楽を聴いたりして待機することができるので、テレビ電話機能による通話が保留されたときの興趣を向上できる。
【００１３】
本発明によるテレビ電話装置において、上記メニュー画面生成手段は、相手方のテレビ電話装置からの信号に基づいて、メニュー画面データを生成するように構成される。
【００１４】
このような構成によれば、相手方のテレビ電話装置の操作に基づいて、相手方のテレビ電話装置にメニュー画面を表示させることができる。したがって、相手は、必要に応じて自己のテレビ電話装置にメニュー画面を表示させ、そのメニュー画面において選択したメニュー項目に対応するプリセットデータを受信して、そのプリセットデータに基づく画像を見たり、音楽を聴いたりすることができるので、テレビ電話機能による通話中の興趣を向上できる。
【００１５】
本発明によるテレビ電話装置は、相手方のテレビ電話装置からの信号に基づいて、自動的に着信応答を行う自動応答手段を備え、上記メニュー画面生成手段は、上記自動応答手段により自動的に着信応答が行われた場合に、メニュー画面データを生成するように構成される。
【００１６】
このような構成によれば、相手方のテレビ電話装置からの信号に基づいて、自動的に着信応答を行い、その相手方のテレビ電話装置にメニュー画面を表示させることができる。したがって、相手は、本発明のテレビ電話装置にアクセスするだけで、自己のテレビ電話装置にメニュー画面を表示させることができ、そのメニュー画面において選択したメニュー項目に対応するプリセットデータを受信して、そのプリセットデータに基づく画像を見たり、音楽を聴いたりすることができる。
【００１７】
本発明によるテレビ電話装置は、上記メニュー画面生成手段は、上記自動応答手段により自動的に着信応答が行われた場合に、相手方のテレビ電話装置に対応するメニュー画面データを生成するように構成される。
【００１８】
このような構成によれば、相手方のテレビ電話装置からの信号に基づいて、自動的に着信応答を行い、その相手方のテレビ電話装置ごとに異なるメニュー画面を表示させることができるので、より興趣を向上できる。
【００１９】
本発明によるテレビ電話装置において、上記プリセットデータには、上記撮影手段により生成した動画データが含まれる。
【００２０】
このような構成によれば、メニュー画面が表示された相手方のテレビ電話装置の操作に基づいて、撮影手段により予め撮影している動画を相手方のテレビ電話装置に表示させることができる。
【００２１】
本発明によるテレビ電話装置において、上記プリセットデータには、上記撮影手段により生成した静止画データが含まれる。
【００２２】
このような構成によれば、メニュー画面が表示された相手方のテレビ電話装置の操作に基づいて、撮影手段により予め撮影している静止画を相手方のテレビ電話装置に表示させることができる。
【００２３】
本発明によるテレビ電話装置において、上記プリセットデータには、テキストデータが含まれる。
【００２４】
このような構成によれば、メニュー画面が表示された相手方のテレビ電話装置の操作に基づいて、テキストデータに基づく文章（例えば、過去に受信した電子メールの内容など）を相手方のテレビ電話装置に表示させることができる。
【発明の効果】
【００２５】
本発明のテレビ電話装置によれば、テレビ電話機能による通話中に相手方のテレビ電話装置にメニュー画面を表示させることにより、そのメニュー画面に基づいて相手が能動的にメニュー項目を選択し、その選択したメニュー項目に対応するプリセットデータ（画像データ又は音声データ）を受信して、そのプリセットデータに基づく画像を見たり、音楽を聴いたりすることができるので、一方的に送信されてくるデータを受信するような構成とは異なり、テレビ電話機能による通話中の興趣が向上する。
【００２６】
本発明のテレビ電話装置によれば、操作手段を操作することにより、相手方のテレビ電話装置にメニュー画面を表示させた状態で、テレビ電話機能による通話を保留することができる。したがって、相手は、メニュー画面において選択したメニュー項目に対応するプリセットデータを受信して、そのプリセットデータに基づく画像を見たり、音楽を聴いたりして待機することができるので、テレビ電話機能による通話が保留されたときの興趣を向上できる。
【００２７】
本発明のテレビ電話装置によれば、相手方のテレビ電話装置の操作に基づいて、相手方のテレビ電話装置にメニュー画面を表示させることができるので、相手は、必要に応じて自己のテレビ電話装置にメニュー画面を表示させ、そのメニュー画面において選択したメニュー項目に対応するプリセットデータを受信することができる。相手方のテレビ電話装置からの信号に基づいて、自動的に着信応答を行い、相手方のテレビ電話装置にメニュー画面を表示させるような構成とすれば、相手は、本発明のテレビ電話装置にアクセスするだけで、自己のテレビ電話装置にメニュー画面を表示させ、そのメニュー画面において選択したメニュー項目に対応するプリセットデータを受信することができる。この場合、相手方のテレビ電話装置ごとに異なるメニュー画面を表示させれば、より興趣を向上できる。
【００２８】
本発明のテレビ電話装置によれば、メニュー画面が表示された相手方のテレビ電話装置の操作に基づいて、撮影手段により予め撮影している動画、撮影手段により予め撮影している静止画、あるいは、テキストデータに基づく文章などを相手方のテレビ電話装置に表示させることにより、テレビ電話機能による通話中の興趣を向上させることができる。
【発明を実施するための最良の形態】
【００２９】
実施の形態１．
図１は、本発明の実施の形態１によるテレビ電話装置の一例を示した外観図であり、テレビ電話装置の一例として携帯電話機１が示されている。この携帯電話機１は、いわゆる折り畳み式の携帯電話機であり、表示筐体１００及び操作筐体２００がヒンジ部３００を介して連結され、表示筐体１００及び操作筐体２００の一面を対向させて折り畳むことができる。
【００３０】
表示筐体１００は、折り畳み時に内側となる筐体面にメイン表示部１０１、受話用レシーバ１０３及びサブカメラ１０５が配置され、外側となる筐体面にサブ表示部１０２及びメインカメラ１０４が配置されている。また、操作筐体２００は、折り畳み時に内側となる筐体面に多数の操作キー２０１及び送話用マイクロフォン２０３が配置されている。このような折り畳み式携帯電話機１は、コンパクトに折り畳んだ状態で携帯することができ、筐体を展開させれば、メイン表示部１０１の表示を見ながら、操作キー２０１を押下操作することができる。つまり、主な情報表示はメイン表示部１０１を用いて行われ、主な操作入力は操作キー２０１を用いて行われている。
【００３１】
この携帯電話機１は、メインカメラ１０４又はサブカメラ１０５で撮影することにより生成される画像データ（動画データ）を、送話用マイクロフォン２０３が音声を電気信号に変換することにより生成される音声データとともに相手方のテレビ電話装置（例えば、携帯電話機）にリアルタイムで送信することにより、テレビ電話機能による通話を行うことができる。通常、ユーザは、携帯電話機１を展開させ、メイン表示部１０１に対面した状態で通話を行うことにより、サブカメラ１０５で自分の顔を撮影し、その画像データを相手方のテレビ電話装置に送信する。このとき、相手方のテレビ電話装置から送信されてくる画像データに基づいて、相手の顔がメイン表示部１０１に表示される。音声の送受は、ユーザに対面する送話用マイクロフォン２０３及び受話用レシーバ１０３を介して良好に行うことができる。
【００３２】
テレビ電話機能による通話中、操作キー２０１を所定の態様で操作することにより、サブカメラ１０５で撮影を行う状態からメインカメラ１０４で撮影を行う状態に切り替えることもできる。このような切り替えにより、ユーザは、周囲（ユーザの前方側）の映像をメインカメラ１０４で撮影して、その映像を相手方のテレビ電話装置に表示させることができる。
【００３３】
操作キー２０１には、テレビ電話機能による通話中に、相手方のテレビ電話装置にメニュー画面を表示させるために操作されるメニュー画面キー２０２が含まれる。後に詳述するが、このメニュー画面キー２０２を操作することにより、複数のメニュー項目を含むメニュー画面を相手方のテレビ電話装置に表示させることができる。ユーザは、テレビ電話機能による通話中に他の用事ができた場合などに、メニュー画面キー２０２を操作して相手方のテレビ電話装置にメニュー画面を表示させることにより、通話を保留した状態で相手に待機させることができる。すなわち、メニュー画面キー２０２は、保留機能を実行するための保留キーを兼用することができる。この場合、メニュー画面キー２０２が操作されると、相手方のテレビ電話装置への音声データの送信が行われなくなるような構成であってもよい。
【００３４】
図２は、図１に示した携帯電話機１の内部構成の一例を示したブロック図である。主制御部４００は、携帯電話機１の主要な動作を制御するプロセッサであって、メニュー画面生成処理部４０１及び画像データ合成処理部４０２を備えている。主制御部４００には、操作キー２０１からの操作信号が入力されるとともに、メモリ４１０、システムコントローラ４２０、画像入出力部４３０及び音声入出力部４４０が入出力可能に接続されている。
【００３５】
メモリ４１０には、相手方のテレビ電話装置に表示させるためのメニュー画面データ４１１の他、メニュー画面の各メニュー項目に対応付けられたプリセットデータとしての動画データ４１２、静止画データ４１３及びテキストデータ４１４が記憶されている。動画データ４１２及び静止画データ４１３は、メインカメラ１０４又はサブカメラ１０５で被写体を撮影することにより生成することができる。テキストデータ４１４には、過去に受信した電子メールの内容を表す文章データや、操作キー２０１の操作により作成したメモの内容を表す文章データなどが含まれる。
【００３６】
システムコントローラ４２０には、呼制御部４２１及びパケット通信制御部４２２が接続されている。呼制御部４２１は、基地局（図示せず）との間で無線信号の送受信を行うための通信部４５０に接続されている。基地局にはＩＰ（Internet Protocol）網が接続されており、この携帯電話機１は、画像データや音声データなどのデータを複数のパケットに分割して通信部４５０で送受信することにより、いわゆるパケット通信を行うことができる。
【００３７】
呼制御部４２１は、相手方の通信端末装置（例えば、テレビ電話装置）への呼出や、相手方の通信端末装置からの呼出に際して、接続手順に関する制御（いわゆる呼制御）を行う。呼制御部４２１による呼制御は、例えば、Ｈ．２２５勧告に基づいて行われる。
【００３８】
パケット通信制御部４２２は、パケット通信を行う際に、送信するデータを複数のパケットに分割したり、受信した複数のパケットから元のデータを復元したりする処理を行う。パケット通信制御部４２２によるパケット通信は、例えば、Ｈ．２４５勧告に基づくネゴシエーションにより達成される。
【００３９】
画像入出力部４３０は、メイン表示部１０１、サブ表示部１０２、メインカメラ１０４及びサブカメラ１０５を含み、画像データの入出力に関する処理を行う。画像入出力部４３０には、画像データをデジタル信号又はアナログ信号に相互に変換するための画像コーデック４３１が接続されている。
【００４０】
音声入出力部４４０は、受話用レシーバ１０３及び送話用マイクロフォン２０３を含み、音声データの入出力に関する処理を行う。音声入出力部４４０には、音声データをデジタル信号又はアナログ信号に相互に変換するための音声コーデック４４１が接続されている。
【００４１】
画像コーデック４３１は、多重分離回路４６０に接続されている。また、音声コーデック４４１は、遅延回路４４２を介して多重分離回路４６０に接続されている。多重分離回路４６０は、画像データや音声データの多重化及び逆多重化を行うためのものであって、通信部４５０に接続されている。すなわち、多重分離回路４６０は、通信部４５０から送信するデータを多重化し、通信部４５０で受信した多重化されたデータを逆多重化する。遅延回路４４２は、画像コーデック４３１の処理速度と音声コーデック４４１の処理速度との誤差を補完するためのものである。
【００４２】
図３のステップＳ１０１〜Ｓ１０６は、メニュー選択処理の一例を示したフォローチャートである。また、図４〜図６は、テレビ電話機能による通話中の画像の表示態様を時系列的に示した図である。図４〜図６では、本実施の形態の携帯電話機１（以下、「ユーザ端末」と呼ぶ。）のメイン表示部１０１における表示態様を右側に示し、相手方のテレビ電話装置（以下、「相手端末」と呼ぶ。）の表示部５０１における表示態様を左側に示している。
【００４３】
テレビ電話機能による通話中には、図４（ａ）に示すように、相手端末の表示部５０１に、ユーザ端末のメインカメラ１０４又はサブカメラ１０５で撮影されたユーザの画像６０１（例えば、ユーザの顔）がリアルタイムで表示されるとともに、ユーザ端末のユーザ名６０２及び電話番号６０３が表示される。テレビ電話機能による通話中、図４（ｂ）に示すように、ユーザ端末のメイン表示部１０１にも、相手端末で撮影された相手の画像６０４（例えば、相手の顔）がリアルタイムで表示される。したがって、テレビ電話機能による通常の通話中は、互いの顔を見ながら通話を行うことができるので、より臨場感のある通話を行うことができる。
【００４４】
テレビ電話機能による通話中に、ユーザ端末においてメニュー画面キー２０２が操作されると（ステップＳ１０１でＹｅｓ）、主制御部４００のメニュー画面生成処理部４０１が、メモリ４１０に記憶されているメニュー画面データ４１１を読み出す（ステップＳ１０２）。そして、主制御部４００の画像データ合成処理部４０２が、その読み出されたメニュー画面６０５のデータを、相手端末にリアルタイムで送信している画像データに合成する（ステップＳ１０３、図４（ｂ））。
【００４５】
これにより、相手端末の表示部５０１には、図４（ｃ）に示すように、メモリ４１０に記憶されている静止画データ４１３に対応するメニュー項目「Ｐｉｃｔｕｒｅ」と、メモリ４１０に記憶されている動画データ４１２に対応するメニュー項目「Ｖｉｄｅｏ」と、メモリ４１０に記憶されているテキストデータ４１４に対応するメニュー項目「Ｔｅｘｔ」と、テレビ電話機能による通常の通話状態に戻すためのメニュー項目「通話」とからなるメニュー画面６０５が表示される。メニュー画面６０５が表示される際には、表示部５０１に表示されていたユーザの画像６０１、ユーザ名６０２及び電話番号６０３は縮小表示される。
【００４６】
その後、相手端末のキー操作により、メニュー画面６０５の複数のメニュー項目の中からいずれかのメニュー項目が選択され、その操作信号がＨ．２４５勧告に基づいてユーザ端末で受信されると（ステップＳ１０４でＹｅｓ）、図４（ｄ）に示すように、ユーザ端末のメイン表示部１０１にその旨を表すメッセージ６０６が表示される。
【００４７】
メモリ４１０に記憶されているメニュー画面データ４１１は、階層構造とされている。すなわち、メニュー画面６０５で選択されるメニュー項目の中には、さらに別のメニュー画面（サブメニュー画面）６０５が対応付けられているものがあり、各メニュー画面６０５でメニュー項目を選択していくことにより、最終的に、メモリ４１０に記憶されている動画データ４１２、静止画データ４１３、テキストデータ４１４などのプリセットデータに一対一に対応付けられたメニュー項目を選択することができるようになっている。
【００４８】
メニュー画面６０５で選択されたメニュー項目が、プリセットデータに一対一に対応付けられたメニュー項目ではなく、選択されたメニュー項目に対応するサブメニュー画面が存在する場合には（ステップＳ１０５でＮｏ）、主制御部４００のメニュー画面生成処理部４０１が、対応するメニュー画面データ４１１をメモリ４１０から読み出し（ステップＳ１０２）、主制御部４００の画像データ合成処理部４０２が、その読み出されたメニュー画面データ４１１を、相手端末にリアルタイムで送信している画像データに合成する（ステップＳ１０３、図５（ａ））。
【００４９】
この例のように、図４（ｃ）に示すメニュー画面６０５でメニュー項目「Ｐｉｃｔｕｒｅ」が選択された場合には、図５（ｂ）に示すように、それぞれメモリ４１０に記憶されている複数の静止画データ４１３に一対一に対応付けられたメニュー項目「Ｐｉｃｔｕｒｅ０１」、「Ｐｉｃｔｕｒｅ０２」、「Ｐｉｃｔｕｒｅ０３」を含むメニュー画面（サブメニュー画面）６０５が、相手端末の表示部５０１に表示される。
【００５０】
このようにして、階層構造とされた各メニュー画面６０５でメニュー項目を選択し、最終的に、プリセットデータに一対一に対応付けられたメニュー項目が選択されると（ステップＳ１０５でＹｅｓ）、図５（ｃ）に示すように、ユーザ端末のメイン表示部１０１にその旨を表すメッセージ６０７が表示された後、選択されたメニュー項目に対応するプリセットデータが、相手端末にリアルタイムで送信している画像データに合成されることにより、相手端末に送信される（ステップＳ１０６、図６（ａ））。この例では、メニュー項目「Ｐｉｃｔｕｒｅ０１」に対応する静止画データ４１３が相手端末に送信されることにより、図６（ｂ）に示すように、その静止画データ４１３に基づく静止画６０８が相手端末の表示部５０１に表示されている。
【００５１】
本実施の形態では、テレビ電話機能による通話中に、送信する画像データにメニュー画面データ４１１を合成することにより、相手端末の表示部５０１にメニュー画面６０５を表示させ、メニュー画面６０５に含まれる複数のメニュー項目の選択を促すことができる。そして、相手端末からの操作信号に基づいて、選択されたメニュー項目に対応するプリセットデータ（動画データ、静止画データ、テキストデータなどの画像データ）を相手端末に送信することにより、相手は、そのプリセットデータに基づく画像を見ることができる。
【００５２】
したがって、相手がメニュー画面６０５からメニュー項目を能動的に選択し、その選択したメニュー項目に対応するプリセットデータを受信することができるので、一方的に送信されてくるデータを受信するような構成とは異なり、テレビ電話機能による通話中の興趣が向上する。
【００５３】
ただし、プリセットデータは、動画データ、静止画データ、テキストデータなどの画像データに限らず、サーバ（図示せず）から通信部４５０を介して予めダウンロードしている音楽データなどの音声データであってもよい。この場合、相手端末からの操作信号に基づいて、選択されたメニュー項目に対応する音声データを相手端末に送信することにより、相手は、その音声データに基づく音楽を聴いたりすることができる。
【００５４】
また、本実施の形態では、メニュー画面キー２０２を操作することにより、相手端末の表示部５０１にメニュー画面６０５を表示させた状態で、テレビ電話機能による通話を保留することができる。したがって、相手は、メニュー画面６０５において選択したメニュー項目に対応するプリセットデータを受信して、そのプリセットデータに基づく画像を見たり、音楽を聴いたりして待機することができるので、テレビ電話機能による通話が保留されたときの興趣を向上できる。
【００５５】
実施の形態２．
図７のステップＳ２０１〜Ｓ２０６は、本発明の実施の形態２によるテレビ電話装置が行うメニュー選択処理の一例を示したフローチャートである。本実施の形態のテレビ電話装置は、図１及び図２の場合（実施の形態１）の携帯電話機１と同様の機械的構成及び電気的構成を有しているが、メニュー選択処理時の制御内容が異なっている。
【００５６】
本実施の形態では、テレビ電話機能による通話中に、相手端末からメニュー画面データ４１１を送信すべき旨の信号を受信した場合に（ステップＳ２０１でＹｅｓ）、主制御部４００のメニュー画面生成処理部４０１が、メモリ４１０に記憶されているメニュー画面データ４１１を読み出す（ステップＳ２０２）。そして、主制御部４００の画像データ合成処理部４０２が、その読み出されたメニュー画面データ４１１を、相手端末にリアルタイムで送信している画像データに合成することにより（ステップＳ２０３）、相手端末の表示部５０１に、複数のメニュー項目を含むメニュー画面６０５が表示される。
【００５７】
その後、相手端末のキー操作により、メニュー画面６０５の複数のメニュー項目の中からいずれかのメニュー項目が選択され、その操作信号がＨ．２４５勧告に基づいてユーザ端末で受信されると（ステップＳ２０４でＹｅｓ）、主制御部４００は、そのメニュー項目がプリセットデータに一対一に対応付けられたメニュー項目であるか否かを判定する（ステップＳ２０５）。そして、最終的に、プリセットデータに一対一に対応付けられたメニュー項目が選択されると（ステップＳ２０５でＹｅｓ）、選択されたメニュー項目に対応するプリセットデータが相手端末に送信される（ステップＳ２０６）。
【００５８】
本実施の形態では、実施の形態１と同様に、テレビ電話機能による通話中に、送信する画像データにメニュー画面データ４１１を合成することにより、相手端末の表示部５０１にメニュー画面６０５を表示させ、メニュー画面６０５に含まれる複数のメニュー項目の選択を促すことができる。そして、相手端末からの操作信号に基づいて、選択されたメニュー項目に対応するプリセットデータ（画像データ又は音声データ）を相手端末に送信することにより、相手は、そのプリセットデータに基づく画像を見たり、音楽を聴いたりすることができる。
【００５９】
したがって、相手がメニュー画面６０５からメニュー項目を能動的に選択し、その選択したメニュー項目に対応するプリセットデータを受信することができるので、一方的に送信されてくるデータを受信するような構成とは異なり、テレビ電話機能による通話中の興趣が向上する。
【００６０】
また、本実施の形態では、相手端末の操作に基づいて、相手端末の表示部５０１にメニュー画面６０５を表示させることができる。したがって、相手は、必要に応じて自己のテレビ電話装置にメニュー画面６０５を表示させ、そのメニュー画面６０５において選択したメニュー項目に対応するプリセットデータを受信して、そのプリセットデータに基づく画像を見たり、音楽を聴いたりすることができるので、テレビ電話機能による通話中の興趣を向上できる。
【００６１】
実施の形態３．
図８のステップＳ３０１〜Ｓ３０８は、本発明の実施の形態３によるテレビ電話装置が行うメニュー選択処理の一例を示したフローチャートである。本実施の形態のテレビ電話装置は、図１及び図２の場合（実施の形態１）の携帯電話機１と同様の機械的構成及び電気的構成を有しているが、メニュー選択処理時の制御内容が異なっている。
【００６２】
本実施の形態では、携帯電話機１のメモリ４１０に、特定の相手端末の電話番号を予め記憶することができるようになっている。メモリ４１０に記憶される各相手端末の電話番号には、メモリ４１０に予め記憶されている複数のメニュー画面データ４１１のいずれかが対応付けられる。呼制御部４２１は、相手端末から呼出（着信）があった場合（ステップＳ３０１でＹｅｓ）、その相手端末がメモリ４１０に記憶されている電話番号に対応する特定の相手端末であるか否かを判定し（ステップＳ３０２）、特定の相手端末であれば（ステップＳ３０２でＹｅｓ）、自動的に着信応答（自動応答）を行うことにより着呼する（ステップＳ３０３）。
【００６３】
このとき、主制御部４００のメニュー画面生成処理部４０１が、メモリ４１０に記憶されているメニュー画面データ４１１を読み出す（ステップＳ３０４）。そして、主制御部４００の画像データ合成処理部４０２が、その読み出されたメニュー画面データ４１１を、相手端末にリアルタイムで送信している画像データに合成することにより（ステップＳ３０５）、相手端末の表示部５０１に、複数のメニュー項目を含むメニュー画面６０５が表示される。
【００６４】
その後、相手端末のキー操作により、メニュー画面６０５の複数のメニュー項目の中からいずれかのメニュー項目が選択され、その操作信号がＨ．２４５勧告に基づいてユーザ端末で受信されると（ステップＳ３０６でＹｅｓ）、主制御部４００は、そのメニュー項目がプリセットデータに一対一に対応付けられたメニュー項目であるか否かを判定する（ステップＳ３０７）。そして、最終的に、プリセットデータに一対一に対応付けられたメニュー項目が選択されると（ステップＳ３０７でＹｅｓ）、選択されたメニュー項目に対応するプリセットデータが相手端末に送信される（ステップＳ３０８）。
【００６５】
本実施の形態では、実施の形態１と同様に、テレビ電話機能による通話中に、送信する画像データにメニュー画面データ４１１を合成することにより、相手端末の表示部５０１にメニュー画面６０５を表示させ、メニュー画面６０５に含まれる複数のメニュー項目の選択を促すことができる。そして、相手端末からの操作信号に基づいて、選択されたメニュー項目に対応するプリセットデータ（画像データ又は音声データ）を相手端末に送信することにより、相手は、そのプリセットデータに基づく画像を見たり、音楽を聴いたりすることができる。
【００６６】
したがって、相手がメニュー画面６０５からメニュー項目を能動的に選択し、その選択したメニュー項目に対応するプリセットデータを受信することができるので、一方的に送信されてくるデータを受信するような構成とは異なり、テレビ電話機能による通話中の興趣が向上する。
【００６７】
また、本実施の形態では、相手端末からの信号に基づいて、自動的に着信応答を行い、その相手端末の表示部５０１にメニュー画面６０５を表示させることができる。したがって、相手は、本実施の形態の携帯電話機１にアクセスするだけで、自己のテレビ電話装置にメニュー画面６０５を表示させることができ、そのメニュー画面６０５において選択したメニュー項目に対応するプリセットデータを受信して、そのプリセットデータに基づく画像を見たり、音楽を聴いたりすることができる。
【００６８】
特に、本実施の形態では、相手端末からの信号に基づいて、自動的に着信応答を行い、その相手端末ごとに異なるメニュー画面６０５を表示させることができるので、より興趣を向上できる。
【００６９】
以上の実施形態においては、本発明のテレビ電話装置の一例として携帯電話機１について説明したが、本発明は、携帯電話機に限らず、他の携帯型のテレビ電話装置にも適用可能であるし、一般家庭に設置される固定型のテレビ電話装置にも適用可能である。
【００７０】
また、相手端末の表示部５０１の一部にメニュー画面６０５が表示されるような構成に限らず、表示部５０１全体にメニュー画面６０５が表示されるような構成であってもよい。
【００７１】
本発明は、以上の実施の形態の内容に限定されるものではなく、請求項記載の範囲内において種々の変更が可能である。
【図面の簡単な説明】
【００７２】
【図１】本発明の実施の形態１によるテレビ電話装置の一例を示した外観図であり、テレビ電話装置の一例として携帯電話機が示されている。
【図２】図１に示した携帯電話機の内部構成の一例を示したブロック図である。
【図３】メニュー選択処理の一例を示したフォローチャートである。
【図４】テレビ電話機能による通話中の画像の表示態様を時系列的に示した図である。
【図５】テレビ電話機能による通話中の画像の表示態様を時系列的に示した図であって、図４の続きを示している。
【図６】テレビ電話機能による通話中の画像の表示態様を時系列的に示した図であって、図５の続きを示している。
【図７】本発明の実施の形態２によるテレビ電話装置が行うメニュー選択処理の一例を示したフローチャートである。
【図８】本発明の実施の形態３によるテレビ電話装置が行うメニュー選択処理の一例を示したフローチャートである。
【符号の説明】
【００７３】
１  携帯電話機（テレビ電話装置）
１０１  メイン表示部
１０２  サブ表示部
１０３  受話用レシーバ
１０４  メインカメラ
１０５  サブカメラ
２０１  操作キー
２０２  メニュー画面キー
２０３  送話用マイクロフォン
４００  主制御部
４０１  メニュー画面生成処理部
４０２  画像データ合成処理部
４１０  メモリ
４１１  メニュー画面データ
４１２  動画データ（プリセットデータ）
４１３  静止画データ（プリセットデータ）
４１４  テキストデータ（プリセットデータ）
４２０  システムコントローラ
４２１  呼制御部
４２２  パケット通信制御部
４３０  画像入出力部
４４０  音声入出力部
４５０  通信部
５０１  相手端末の表示部
６０５  メニュー画面
【図１】
2006345076.tif 000003
【図２】
2006345076.tif 000004
【図３】
2006345076.tif 000005
【図４】
2006345076.tif 000006
【図５】
2006345076.tif 000007
【図６】
2006345076.tif 000008
【図７】
2006345076.tif 000009
【図８】
2006345076.tif 000010